(57)【特許請求の範囲】
【請求項１】
被粉砕物が投入されるホッパー部と、該ホッパー部に投入された被粉砕物を粉砕可能な固定擂潰盤及び回転擂潰盤からなる擂潰部と、該回転擂潰盤を回転させる駆動部と、該擂潰部により粉砕された被粉砕物が排出される排出部とを備えてなり、上記固定擂潰盤を上記回転擂潰盤に対して接近離反動自在に配設し、該固定擂潰盤の離反許容量を設定可能な粉砕間隙調節機構を配設し、該粉砕間隙調節機構は、該固定擂潰盤を回転擂潰盤に対して回り止め状態で接近離反可能に設け、かつ、上記固定擂潰盤の突出鍔の上面に当接可能な規制部を備え、回動操作により上下位置することで、固定擂潰盤の上昇限度を規制する操作ナット体からなることを特徴とする製粉機。
【発明の詳細な説明】
【０００１】
【発明の属する技術分野】
本発明は例えば米、麦、大豆、トウモロコシ等の穀類や干しキノコ、煮干し、卵殻、干しエビ、茶葉、漢方薬の原料等の製粉化加工に用いられる小型の製粉機に関するものである。
【０００２】
【従来の技術】
従来この種の製粉機として、穀類等の被粉砕物を固定擂潰盤及び回転擂潰盤からなる擂潰部により粉砕する構造のものが知られている。
【０００３】
【発明が解決しようとする課題】
しかしながら上記従来構造にあっては、固定擂潰盤と回転擂潰盤との間の粉砕間隙の調節に際して外部からの操作が非常に厄介であり、それだけ操作性が低下しているという不都合を有している。
【０００４】
【課題を解決するための手段】
本発明はこのような課題を解決することを目的とするもので、請求項１記載の発明にあっては、被粉砕物が投入されるホッパー部と、該ホッパー部に投入された被粉砕物を粉砕可能な固定擂潰盤及び回転擂潰盤からなる擂潰部と、該回転擂潰盤を回転させる駆動部と、該擂潰部により粉砕された被粉砕物が排出される排出部とを備えてなり、上記固定擂潰盤を上記回転擂潰盤に対して接近離反動自在に配設し、該固定擂潰盤の離反許容量を設定可能な粉砕間隙調節機構を配設し、該粉砕間隙調節機構は、該固定擂潰盤を回転擂潰盤に対して回り止め状態で接近離反可能に設け、かつ、上記固定擂潰盤の突出鍔の上面に当接可能な規制部を備え、回動操作により上下位置することで、固定擂潰盤の上昇限度を規制する操作ナット体からなることを特徴とする製粉機にある。
【０００５】
【発明の実施の形態】
図１乃至図１０は本発明の実施の形態例を示し、大別して、ホッパー部１、擂潰部２、駆動部３、排出部４及び機台部５からなり、この場合機台部５は機台板５ａに脚枠５ｂを取り付けて構成されている。
【０００６】
このホッパー部１はケース体１ａ内に漏斗状の導入筒１ｂを形成し、かつ上部に導入筒１ｂの上部の投入口１ｃを開閉可能な蓋部材１ｄを取り付けて構成している。
【０００７】
また、擂潰部２は固定擂潰盤６及び回転擂潰盤７からなり、回転擂潰盤６は駆動部３により回転するように構成されている。
【０００８】
この場合機台板５ａに軸受筒部材８を縦設し、軸受筒部材８に主軸９を回転自在に縦設し、主軸９に回転擂潰盤７を着脱機構１０を介して着脱自在に取付け、この回転擂潰盤７上に固定擂潰盤６を軸受筒部材８に対して回り止め状態で載置して対向面間に粉砕間隙Ｈを形成すると共に粉砕間隙調節機構１１により固定擂潰盤６を回転擂潰盤７に対しての上昇離反限度を調節規制して粉砕間隙Ｈを調節設定自在に構成している。
【０００９】
この固定擂潰盤６は図３及び図５の如く、中央部に導入受筒１２が固定立設され、この導入受筒１２は導入筒１ｂに接続されて導入路１３が形成され、導入受筒１２の内周面に階段状の粗挽刃１２ａを四列分突出形成し、固定擂潰盤６の表面には擂潰凹凸条６ａが形成され、かつ固定擂潰盤６の内方側に被粉砕物Ｗを擂潰間隙Ｈに導入可能な導入溝６ｂが複数個形成され、導入溝６ｂは擂潰間隙Ｈに被粉砕物Ｗを誘い込み可能な誘導刃縁６ｃを持ち、誘導刃縁６ｃの先端から固定擂潰盤６の外周縁までの距離としての粉砕長さＬ1及び誘導刃縁６ｃの長さＬ2をもって形成され、この固定擂潰盤６上にホッパー部１のケース体１ａを取り付けてなり、又、回転擂潰盤７にあっては、中央部に導入受筒１４が一体に立設され、この導入受筒１４の外周面に階段状の粗挽刃１４ａを四列分突出形成し、この回転擂潰盤７の表面には擂潰凹凸条７ａが形成されている。
【００１０】
また駆動部３は上記機台部５の機台板５ａに回転用モータ１５を取付け、回転用モータ１５の主軸と上記主軸９とをベルト伝導機構１６により接続し、回転用モータ１５により主軸９を回転させるように構成している。
【００１１】
また排出部４は、この場合軸受筒部材８及び機台板５ａに上記粉砕間隙Ｈに臨ませて排出口４ａを形成すると共に機台板５ａに排出筒４ｂを取付けてなり、排出筒４ｂに取出容器１７を臨設して構成している。
【００１２】
１８はシャッター部材であって、上記ホッパー部１と上記擂潰部２との間の導入路１３を開閉可能に設けられ、蓋部材１ｄの開閉動作とシャッター部材１８の開閉動作とが連動機構１９により連動するとと共に連動機構１９に蓋部材１ｄ
の開動作に伴うシャッター部材１８の閉動作並びに蓋部材１ｄの閉動作に伴うシャッター部材１８の開動作を各々遅延可能な遅延機構２０を配設して構成している。
【００１３】
２１は安全機構であって、上記蓋部材１ｄの閉動作完了に連動して上記駆動部３による回転擂潰盤７の駆動回転を許容するように構成されている。
【００１４】
この場合、上記粉砕間隙調節機構１１は、上記軸受筒部材８の上部外周面に螺子部２２を形成すると共に固定擂潰盤６の外周面に三個の突出鍔２３を突出形成し、環状の操作ナット体２４に螺子部２２に螺着可能な螺子部２５を形成すると共に突出鍔２３が挿通可能な逃げ溝２６を形成し、軸受筒部材８にガイドピン２７を三個植立し、ガイドピン２７が摺動自在に挿通される摺動穴２８を突出鍔２３に形成し、操作ナット体２４に突出鍔２３の上面に当接可能な規制部２４ａを形成し、これにより固定擂潰盤６を回転擂潰盤７に対して回り止め状態でケース体１ａと共に上昇離反可能に設けると共に操作ナット体２４の回動操作により規制部２４ａを上下位置移動させ、固定擂潰盤６の上昇限度を規制部２４ａにより調節規制することにより粉砕間隙Ｈを調節設定自在に構成している。
【００１５】
この実施の形態例は上記構成であるから、米、麦、大豆、トウモロコシ等の穀類や干しキノコ、煮干し、卵殻、干しエビ、茶葉、漢方薬の原料等の被粉砕物Ｗをホッパー部１に投入し、駆動部３により回転擂潰盤７を図５の実線矢印方向に回転させ、このことは言い換えると固定擂潰盤６を図６の如く、破線矢印方向に相対回転させると考えることもでき、被粉砕物Ｗは固定擂潰盤６及び回転擂潰盤７からなる擂潰部２の擂潰間隙Ｈにより擂り潰されつつ外方に送られ、粉砕された被粉砕物Ｗは排出部４より排出されることになり、この際、固定擂潰盤６を上記回転擂潰盤７に対して接近離反動自在に配設すると共に固定擂潰盤６の離反許容量を設定可能な粉砕間隙調節機構１１を配設しているから、固定擂潰盤６と回転擂潰盤７との間の粉砕間隙Ｈの調節を容易に行うことができ、粉砕度合いの調節が容易にでき、容易に所望粒度の製粉加工を行うことができる。
【００１６】
この場合上記粉砕間隙調節機構１１は上記固定擂潰盤６の離反限度を規制する操作ナット体２４により構成されているので、構造を簡素化することができると共に操作ナット体２４を外部から容易に操作することができ、それだけ粒度の調節の操作性を高めることができる。
【００１７】
尚、本発明は上記実施の形態例に限られるものではなく、ホッパー部１、擂潰部２、駆動部３、排出部４の構造や形態並びに材質等は適宜変更して設計されるものである。
【００１８】
【発明の効果】
本発明は上述の如く、請求項１記載の発明にあっては、固定擂潰盤を回転擂潰盤に対して接近離反動自在に配設すると共に固定擂潰盤の離反許容量を設定可能な粉砕間隙調節機構を配設しているから、固定擂潰盤と回転擂潰盤との間の粉砕間隙の調節を容易に行うことができ、粉砕度合いの調節が容易にでき、容易に所望粒度の製粉加工を行うことができ、更に、該粉砕間隙調節機構は、該固定擂潰盤を回転擂潰盤に対して回り止め状態で接近離反可能に設け、かつ、上記固定擂潰盤の突出鍔の上面に当接可能な規制部を備え、回動操作により上下位置することで、固定擂潰盤の上昇限度を規制する操作ナット体からなるので、構造を簡素化することができると共に操作ナット体を外部から容易に操作することができ、それだけ粒度の調節の操作性を高めることができる。
【００１９】
以上、所期の目的を充分達成することができる。
【図面の簡単な説明】
【図１】  本発明の実施の形態例の全体断面斜視図である。
【図２】  本発明の実施の形態例の側断面図である。
【図３】  本発明の実施の形態例の部分側断面図である。
【図４】  本発明の実施の形態例の全体斜視図である。
【図５】  本発明の実施の形態例の回転擂潰盤の正面図である。
【図６】  本発明の実施の形態例の固定擂潰盤の正面図である。
【図７】  本発明の実施の形態例の部分平断面図である。
【図８】  本発明の実施の形態例の操作ナット体の斜視図である。
【図９】  本発明の実施の形態例の部分側断面図である。
【図１０】  本発明の実施の形態例の固定擂潰盤の正面図である。
【符号の説明】
Ｗ  被粉砕物
１  ホッパー部
２  擂潰部
３  駆動部
４  排出部
６  固定擂潰盤
７  回転擂潰盤
１１  粉砕間隙調節機構
２４  操作ナット体
２４ａ  規制部
【図１】
0003728675.tif 000002
【図２】
0003728675.tif 000003
【図３】
0003728675.tif 000004
【図４】
0003728675.tif 000005
【図５】
0003728675.tif 000006
【図６】
0003728675.tif 000007
【図７】
0003728675.tif 000008
【図８】
0003728675.tif 000009
【図９】
0003728675.tif 000010
【図１０】
0003728675.tif 000011